(57)【要約】【課題】任意の室内スペースに違和感のない状態で設置でき、既存の住宅にサニタリーユニットを追加するリフォーム用途にも支障なく適用できる、汎用性に優れた組立式のサニタリーユニットを提供する。【解決手段】躯体フレーム３と、躯体フレーム３の上下面を覆う天井パネル４および床パネル５と、壁体８とを含んで構成される立方体状のユニット躯体１を備えている。ユニット躯体１には、少なくとも浴槽５１を含む水回り設備を収容して外部から出入りできる内室６を設ける。壁体８を防水機能を備えた内壁２６と、化粧仕上げされた外壁２７とで内外二重に形成する。内壁２６および外壁２７は、金属板材製の壁パネル２８・２９と、その片面に固定される緩衝材３０・３１とで構成する。内壁２６と外壁２７は、それぞれの緩衝材３０・３１の間に空気層が介在する状態で内外に対向配置する。【選択図】図１
2010242380.tif 000002
【特許請求の範囲】
【請求項１】
躯体フレーム（３）と、躯体フレーム（３）の上下面を覆う天井パネル（４）および床パネル（５）と、躯体フレーム（３）の周囲を覆う壁体（８）とを含んで構成される立方体状のユニット躯体（１）を備えており、
前記ユニット躯体（１）には、少なくとも浴槽（５１）を含む水回り設備を収容して、外部から出入りできる内室（６）が設けられており、
前記壁体（８）が、防水機能を備えた内壁（２６）と、化粧仕上げされた外壁（２７）とで内外二重に形成してあることを特徴とする組立式のサニタリーユニット。
【請求項２】
前記ユニット躯体（１）に、前記内壁（２６）と、ユニット躯体（１）の内方へ向かって凹設されて外向きに開口する外室（２７）とが設けられており、
前記内壁（２６）および外室（２７）に、浴槽（５１）を含む複数の水回り設備が収容してある請求項１に記載の組立式のサニタリーユニット。
【請求項３】
前記壁体（８）の内壁（２６）と外壁（２７）との間に、断熱、防音、結露防止の少なくともいずれかひとつの機能を発揮する緩衝材（３０・３１）が配置してある請求項２に記載の組立式のサニタリーユニット。
【請求項４】
前記内壁（２６）および外壁（２７）のそれぞれが、金属板材製の壁パネル（２８・２９）と、壁パネル（２８・２９）の片面に固定される緩衝材（３０・３１）とで構成されており、
前記内壁（２６）と前記外壁（２７）とが、それぞれの緩衝材（３０・３１）の間に、空気層が介在する状態で内外に対向配置してある請求項２または３に記載の組立式のサニタリーユニット。
【請求項５】
前記ユニット躯体（１）の上方に、天井パネル（４）を底面とする機器室（２）が密閉状に区画されており、
機器室（２）の内部に、換気扇（７４・７５）と、換気扇（７４・７５）から室外へ向かって導出される換気ダクト（７６・７７）と、複数の照明器具（７８）と電気配線とが配置してある請求項２から４のいずれかに記載の組立式のサニタリーユニット。
【請求項６】
機器室（２）が、下フレーム（６１）と、上フレーム（６２）と、上フレーム（６２）の周囲外面を覆う周壁パネル（６４）と、上フレーム（６２）の上面を覆うロフトパネル（６３）とで構成してある請求項５に記載の組立式のサニタリーユニット。
【発明の詳細な説明】
【技術分野】
【０００１】
本発明は、浴槽を含む複数の水回り設備が設けてある組立式のサニタリーユニットに関する。
【背景技術】
【０００２】
この種のサニタリーユニットとして、シャワー設備と、トイレ設備と、洗面設備を１個のユニットとして構成することが広く行なわれている（特許文献１）。そこでは、床パネル、壁パネル、天井パネルなどの外郭構造体を予め成型しておき、これらのユニットパーツと、浴槽、便器、洗面台などを現場に搬入して組み立てることができる。この種のサニタリーユニットは、床や壁面にタイルを貼る従来工法に比べて短時間で施工が可能なうえ、階下への水漏れのリスクが少なく、設備配管や配線を気にする必要もない。そのため集合住宅、ホテル、戸建住宅、アパート、病院など多様な建築物に広く採用されている。因みに、サニタリーユニットは、室内との調和を図る必要上、あるいは浴槽で発生する水蒸気を屋外へ排出する必要上、剥きだしで設置することはできない。そのため従来の施工形態では、殆どの場合、建物躯体と一体に形成した造作壁で専用の水回り室を区画して、その内部にサニタリーユニットを設置していた。
【０００３】
本発明に関して、水回り室を区画するための造作壁を省略して、バスユニットを室内に設置することは、特許文献２に公知である。そこでは、室内の隅壁部分にバスユニットを配置し、室内に露出するバスユニットの外壁面のうち、出入口を除く壁面に沿ってキッチンユニットと、家電品ユニットと、洗面台ユニットと、収納ユニットとを配置して、バスユニットの外面を各ユニットで覆い隠している。なお、バスユニットの内部には、浴槽と、便器と、洗濯機が配置してある。
【０００４】
本発明では、サニタリーユニットの天井パネルの上面に、換気扇や排気ダクトを収容する機器室を設けるが、このように水周りユニットの上部スペースを利用して、各種の機器類を配置することは特許文献３に公知である。そこでは、防水パンと、複数の壁パネルと、天井パネルと、浴槽などでバスユニットを構成し、天井パネルの上面に配置した架台に、給湯ユニット、トランスユニット、電源ボックスなどの機器を設置している。架台は四角枠状のフレームと、フレームの四隅を支持する脚枠とで構成してある。架台に作用する荷重は壁パネルで支持している。
【先行技術文献】
【特許文献】
【０００５】
【特許文献１】特開２００１−１７８６５３号公報（段落番号００１２、図１）
【特許文献２】実用新案登録第２５８６５３９号公報（段落番号０００８、図１）
【特許文献３】特開平０８−０１３８２１号公報（段落番号０００５、図３）
【発明の概要】
【発明が解決しようとする課題】
【０００６】
上記のように、従来の施工形態においては、造作壁で囲まれる専用の水回り室内を設けて、その内部にサニタリーユニットやバスユニットなどを設置している。そのため、水回り室を区画する造作壁の分だけ室内スペースや廊下スペースなどが狭くなるのを避けられない。しかも、造作壁を構築するのに資材と労力とが不可欠であり、その分だけ建物の構築コストが増加するのを避けられない。
【０００７】
特許文献２のバスユニットの施工形態によれば、室内に露出するバスユニットの外壁面をキッチンユニットや家電品ユニットなどで覆うので、造作壁を省略できる。しかし、例えば既存の室内にバスユニットを単独で付加設置するような場合には、キッチンユニットや家電品ユニットなどは不用であるため、バスユニットの外面が露出するのを避けられない。また、バスユニットと室内を隔てるのは、プラスチック成形された壁パネルや天井パネルだけであるため、断熱、防音、結露防止などの各機能などが欠落することになる。さらに、バスユニットで発生した水蒸気を屋外へ排出し、あるいはバスユニット内の空気を換気するには、室外に通じるダクトを設ける以外になく、必然的に換気装置やダクトが室内に露出するのを避けられない。こうした不具合を解消するには、造作壁に相当する壁でバスユニットの外面を囲むことになる。
【０００８】
上記のように、特許文献２のバスユニットは、室内の隅壁部分にバスユニットを配置することと、キッチンユニットや家電品ユニットなどの生活設備をバスユニットの周囲に設置する場合に限って有効な施工形態でしかない。そのため、部屋の間取りが決まっている既存の住宅にバスユニットを追加し、あるいは上階部分の室内にバスユニットを新設するなどのリフォームを行なう用途などには適用できず汎用性に欠ける。
【０００９】
特許文献３のバスユニットによれば、バスユニットの天井パネルの上面に、給湯ユニットやトランスユニットなどの機器を配置して、天井パネルの上面のデッドスペースを有効に利用できる。しかし、先の機器を天井パネルの上面に配置した架台上に設置するので、デッドスペースの有効利用範囲が架台の形成範囲に限られ、空間利用の仕方に無駄がある。架台の大きさをバスユニットと同じ大きさにすると、先のデッドスペースをさらに有効に利用できるが、その場合には、架台を支持する壁パネルの構造強度を増強する必要があり、バスユニットが大型化するのを避けられない。
【００１０】
本発明の目的は、室内の任意スペースに設置でき、しかも設置対象の室内との外観上、あるいは換気構造の調和を図ることができ、したがって、専用の水回り室を区画する造作壁を省略して室内スペースを拡大し、あるいは建物の構築コストを削減できる組立式のサニタリーユニットを提供することにある。本発明の目的は、サニタリーユニットを任意の室内スペースに違和感のない状態で設置でき、したがって、新規に居住スペースを構築する場合はもちろん、既存の住宅にサニタリーユニットを追加するなどの、リフォーム用途にも支障なく適用でき、さらに断熱、防音、結露防止など水回り設備に不可欠な機能を備えている、汎用性に優れた組立式のサニタリーユニットを提供することにある。本発明の目的は、天井パネルの上面のデッドスペースを有効に利用して、サニタリーユニットで発生する水蒸気の屋外への排出や、サニタリーユニット内の空気の換気を好適に行なうことができ、したがって室内に設置するのに好適な組立式のサニタリーユニットを提供することにある。本発明の目的は、天井パネルの上面のデッドスペースを、ロフトとして有効利用することができる組立式のサニタリーユニットを提供することにある。
【課題を解決するための手段】
【００１１】
本発明のサニタリーユニットは、躯体フレーム３と、躯体フレーム３の上下面を覆う天井パネル４および床パネル５と、躯体フレーム３の周囲を覆う壁体８とを含んで構成される立方体状のユニット躯体１を備えている。ユニット躯体１には、少なくとも浴槽５１を含む水回り設備を収容して外部から出入りできる内室６が設けてある。壁体８を、防水機能を備えた内壁２６と、化粧仕上げされた外壁２７とで内外二重に形成する。
【００１２】
ユニット躯体１に、内壁２６と、ユニット躯体１の内方へ向かって凹設されて外向きに開口する外室２７とを設ける。内壁２６および外室２７に、浴槽５１を含む複数の水回り設備が収容する。
【００１３】
壁体８の内壁２６と外壁２７との間に、断熱、防音、結露防止の少なくともいずれかひとつの機能を発揮する緩衝材３０・３１を配置する。
【００１４】
内壁２６および外壁２７のそれぞれを、金属板材製の壁パネル２８・２９と、壁パネル２８・２９の片面に固定される緩衝材３０・３１とで構成する。内壁２６と外壁２７とは、それぞれの緩衝材３０・３１の間に、空気層が介在する状態で内外に対向配置する。
【００１５】
ユニット躯体１の上方に、天井パネル４を底面とする機器室２を密閉状に区画する。機器室２の内部に、換気扇７４・７５と、換気扇７４・７５から室外へ向かって導出される換気ダクト７６・７７と、複数の照明器具７８と電気配線とを配置する。
【００１６】
機器室２は、下フレーム６１と、上フレーム６２と、上フレーム６２の周囲外面を覆う周壁パネル６４と、上フレーム６２の上面を覆うロフトパネル６３とで構成する。
【発明の効果】
【００１７】
本発明においては、躯体フレーム３の周囲を覆う壁体８を、防水機能を備えた内壁２６と、室内と同様に化粧仕上げされた外壁２７とで内外二重に形成するので、サニタリーユニットを室内の任意スペースに違和感のない状態で設置できる。詳しくは、従来のこの種のユニットと同様の防水機能を発揮しながら、サニタリーユニットの室内における外観を、室内のひとつの区室や壁と同様の印象にすることができる。したがって、本発明のサニタリーユニットによれば、専用の水回り室を区画する造作壁を構築する必要もなく室内に設置することができ、造作壁を省略できる分だけ室内スペースを拡大し、あるいは建物の構築コストを削減できる。また、本発明のサニタリーユニットは、各構成部材を順に組み立てることにより構築できるので、新規に居住スペースを構築する場合はもちろんのこと、既存の住宅にサニタリーユニットを追加するなどの、リフォーム用途にも支障なく適用することができ、全体として汎用性に優れた組立式のサニタリーユニットが得られる。とくに、本発明のサニタリーユニットは、単身者用の集合住宅の室内に設置するのに好適である。
【００１８】
ユニット躯体１に、内壁２６と外室２７とを設け、これら両室に浴槽５１を含む複数の水回り設備を収容すると、生活に必要な複数の水回り設備をサニタリーユニットに集約配置して、スペースの無駄を省きながら給排水構造を簡素化できる。また、水回り設備に関するユーザーの作業動線を単純化し、あるいは近距離化して使い勝手を向上できる。外室２７を外向きに開口する状態でユニット躯体１の内方へ向かって凹設するので、外室２７に配置した水回り設備や機器類を、サニタリーユニットの外面側から直接使用することができ、この点でも室内スペースを無駄なく有効に活用できる利点がある。
【００１９】
内壁２６と外壁２７との間に断熱、防音、結露防止の少なくともいずれかひとつの機能を発揮する緩衝材３０・３１を配置すると、内室６の熱や湿気が室内へ漏れ出し、あるいは内室６で発生した音が室内へ漏洩するのを確実に防止できる。したがって断熱、防音、結露防止などの緩衝機能を向上して、室内の任意スペースに直接設置するのに好適なサニタリーユニットが得られる。
【００２０】
金属板材製の壁パネル２８・２９と、その片面に固定される緩衝材３０・３１とで内壁２６および外壁２７を構成し、これら両者を２６・２７を、緩衝材３０・３１の間に空気層が介在する状態で内外に対向配置すると、緩衝材３０・３１の緩衝機能に加えて、空気層による防音機能、および断熱機能を発揮できる。したがって、サニタリーユニットの緩衝機能をさらに向上して、造作壁で形成した専用の水回り室に例えばバスユニットを収容するのと同等の緩衝機能を発揮することができる。
【００２１】
ユニット躯体１の上方に機器室２を区画し、その内部に換気扇７４・７５、換気ダクト７６・７７、および照明器具７８などを配置すると、天井パネル４の上面のデッドスペースを有効に利用して、サニタリーユニットで発生する水蒸気の屋外への排出や、サニタリーユニット内の空気の換気を好適に行なうことができる。このように、換気扇７４・７５、換気ダクト７６・７７などの機器を機器室２に収容すると、換気装置や換気ダクトなどの機器が室内に露出するのを防止して、サニタリーユニットによって室内の印象が損なわれるのを防止できる。
【００２２】
下フレーム６１と、上フレーム６２と、周壁パネル６４と、ロフトパネル６３などで機器室２を構成すると、上下のフレーム６１・６２が強度を主に負担する構造体として機能して、構造強度に優れた機器室２を構成できる。このように機器室２を堅牢に構成すると、機器室２の上側空間をロフトとして利用することができ、室内の空間をさらに効果的に利用できる。その場合のロフトパネル６３は、ロフトの床面として機能する。室内の天井高さにもよるが、ロフトは例えば不要な荷物の収納スペースとして、あるいは寝具等の設置スペースとして利用することができる。
【図面の簡単な説明】
【００２３】
【図１】サニタリーユニットの横断平面図である。
【図２】サニタリーユニットの斜視図である。
【図３】サニタリーユニットの正面図である。
【図４】躯体フレームおよび機器室のフレーム構造を示す分解斜視図である。
【図５】図１におけるＢ部の拡大断面図である。
【図６】図１におけるＡ部の拡大断面図である。
【図７】図１におけるＣ部の拡大断面図である。
【図８】サニタリーユニットの給排水管構造を示す概略平面図である。
【図９】図６におけるＤ−Ｄ線断面図である。
【図１０】図３におけるＥ−Ｅ線断面図である。
【図１１】図１０におけるＦ−Ｆ線断面図である。
【図１２】図１０のＧ−Ｇ線断面図である。
【発明を実施するための形態】
【００２４】
図１ないし図１２は本発明に係るサニタリーユニットの実施例を示す。図２および図３においてサニタリーユニットは、立方体状のユニット躯体１と、ユニット躯体１の上部に配置される機器室２とを備えている。ユニット躯体１は、躯体フレーム３と、躯体フレーム３の上下面を覆う天井パネル４および床パネル５と、躯体フレーム３の周囲を覆い、かつユニット躯体１の内部を内室６と外室７に区分する壁体８と、内室６の出入口９を開閉するドア１０などで構成する。外室７は、ユニット躯体１の内部へ向かって凹設されて、ユニット躯体１の周面で外向きに開口している。
【００２５】
躯体フレーム３は、それぞれ中空枠体を角枠状に組んで構成される床フレーム１３および天井フレーム１４と、下端が床フレーム１３に固定され、上端で天井フレーム１４を固定支持する多数個の支持柱１５・１６とで構成する。図３および図４に示すように、床フレーム１３の下面側には高さ調整用の調整ボルト１３ａの一群が設けてあり、これらの調整ボルト１３ａを調整することにより、床フレーム１３をコンクリートスラブ、または基礎に対して水平に設置することができる。床フレーム１３は、サニタリーユニットの荷重や水回り設備、あるいは後述する換気機器等の荷重などに耐えられるように、天井フレーム１４に比べて頑丈に形成してある。
【００２６】
図５に示すように、支持柱１５・１６は鋼板を素材とするチャンネル材状の枠体からなり、ユニット躯体１の隅部と辺部に配置してある。一方の支持柱１５は、断面が長方形状に形成され、その片方の長辺部に壁体８を差し込み連結する連結口１７が開口され、連結口１７に連続して斜めの抜止壁１８が形成してある。連結口１７を間に挟む枠外面には、壁体８を受け止め支持する受壁１９が面一状に形成してある。この支持柱１５は、図６に示すように隣接する壁体８を同一平面内で接続する場合や、図５および図７に示すようにユニット躯体１の隅部に臨む壁体８を接続する場合に使用される。
【００２７】
他方の支持柱１６は異形断面状に形成してあり、その内隅部分に壁体８を差し込み連結する連結口２１が開口され、連結口２１に連続して斜めの抜止壁２２が形成してある。連結口２１を間に挟む枠外面には、壁体８を受け止め支持する受壁２３が直交状に形成してある。この支持柱１５は、図５に示すようにユニット躯体１の隅部で直交する壁体８を接続する場合に使用される。
【００２８】
壁体８は、隣接する支持柱１５・１６の間に装着される内壁２６と外壁２７とで内外二重に構成する。内壁２６と外壁２７は、基本的に鋼板製の壁パネル２８・２９と、壁パネル２８・２９の片面に固定される緩衝材３０・３１とで同じ構造に構成され、全体として縦長パネル状に形成してある。しかし、内壁２６が防水仕上げされるのに対し、外壁２７は、室内の壁あるいは床や天井の化粧仕上げに適合するように化粧仕上げしてある点が異なる。なお、内室６と外室７を区分する壁体８は、内壁２６を内外に配置して二重に構成してある。
【００２９】
具体的には、内壁２６の壁パネル２８は、表面が防水塗装されたステンレス鋼板で形成して防水機能が強化してある。また、外壁２７は、メッキ鋼板の表面に傷付きにくい塗装を施して、室内に違和感なく設置できるようにしてある。壁パネル２８・２９の両側には、支持柱１５・１６の連結口１７・２１に差し込み連結される断面涙滴状の掛止壁３２・３３が内向きに折り曲げてある。掛止壁３２・３３には、各支持柱１５・１６の抜止壁１８・２２で受け止められる斜壁３４・３５が形成してある。
【００３０】
緩衝材３０・３１は、断熱、防音、結露防止の少なくともいずれかひとつの機能を発揮できればよく、石膏ボードに代表される断熱ボード、市販の繊維質断熱マット、市販の発泡樹脂ボードなどを適用できる。必要に応じて、緩衝材３０・３１は２種の緩衝材を組み合わせて構成することができる。この実施例においては、緩衝材３０・３１として石膏ボードを使用して、断熱、防音、結露防止の各機能を同時に発揮できるようにした。
【００３１】
支持柱１５・１６に掛止装着した内壁２６、および外壁２７は、モールディング（眠り目地）３８で分離不能に固定される。モールディング３８は、軟質プラスチック材を素材とする押出成形品からなり、帯状のベース３９の片面に抜止めリブ４０を一体に備えている。抜止めリブ４０の対向面には、抜止め片が鋸刃状に形成してある。
【００３２】
内壁２６および外壁２７は、それぞれの緩衝材３０・３１が内外に対向し、しかも両緩衝材３０・３１の間に空気層が介在する状態で、隣接する支持柱１５・１６に掛止装着する。詳しくは、図６に示すように隣接する内壁２６の掛止壁３２を支持柱１５の連結口１７に掛止し、隣接する掛止壁３２の間にモールディング３８を上下方向に連続する状態で差し込んで、斜壁３４を抜止壁１８に密着させる。この状態では、連結口１７の開口部分に向かってハ字状にすぼまる抜止壁１８で斜壁３４が受け止められるので、内壁２６が支持柱１５から分離することはない。同様にして、隣接する外壁２７の掛止壁３３を支持柱１６の連結口１７に掛止し、隣接する掛止壁３３の間にモールディング３８を上下方向に連続する状態で差し込んで、斜壁３５を抜止壁１８に密着させる。
【００３３】
図５に示すように、ユニット躯体１の外面の出隅部分においては、コーナーに臨む外壁２７と共に隅パネル４３を支持柱１５の連結口１７に掛止し、外壁２７と隅パネル４３との間にモールディング３８を上下方向に連続する状態で差し込んで、外壁２７および隅パネル４３を同時に固定する。隅パネル４３は、外壁２７と同じ素材で形成してあり、その両側に支持柱１５の連結口１７に差し込み連結される断面涙滴状の掛止壁４４が内向きに折り曲げてある。掛止壁４４には、抜止壁１８で受け止められる斜壁４５が形成してあり、隣接する外壁２７と同様に支持柱１５に掛止連結されて、モールディング３８で分離不能に固定できる。
【００３４】
外室７の開口部分や出入口９の開口部分においても、図７に示すようにして、端パネル４７が隅パネル４３と同様にして内外の支持柱１５に掛止連結されて、モールディング３８で分離不能に固定してある。端パネル４７は外壁２７と同じ素材で形成してあり、その両側には、支持柱１５の連結口１７に差し込み連結される断面涙滴状の掛止壁４８と、斜壁４９とが内向きに折り曲げ形成してある。
【００３５】
内室６および外室７の各内隅部分においては、図５に示すように、直交状に隣接する内壁２６の掛止壁３２を支持柱１６の連結口２１に掛止し、隣接する掛止壁３２の間にモールディング３８を上下方向に連続する状態で差し込んで、斜壁３４を抜止壁２２に密着させる。内隅部分に装着されるモールディング３８は、支持柱１５で使用されるモールディング３８に比べて、抜止めリブ４０の長さが短く設定してある。以上のように、全ての壁体８を支持柱１５・１６に装着したのち、ドア１０を出入口９に装着する。床パネル５と壁体８との隅部分などには、シリコンコーキングを施し、あるいはパッキングでシールして隙間が密封される。
【００３６】
図１に示すように内室６には、浴槽５１、便器５２、洗濯機パン５３と、洗面台５４が収容してある。また、外室７には調理台が設けられて、その上面の一側にシンク５５が、他側にＩＨ調理器（調理器）５６が配置してある。これらの機器配置に関連する給水管５８、および排水管５９は、例えば図８に示すように床パネル５の下面側に集約配置してある。
【００３７】
機器室２の上面をロフトとして利用するために、機器室２は天井フレーム１４の上面に固定される下フレーム６１と、下フレーム６１で支持される上フレーム６２（図４参照）と、上フレーム６２の上面を塞ぐロフトパネル６３と、両フレーム６１・６２の周側面を覆う周壁パネル６４などで構成する。下フレーム６１は、チャンネル材で組まれる四角枠状のベース６５と、ベース６５の四隅に立設される位置決め枠６６とで構成する。上フレーム６２は、チャンネル材で組まれる四角枠状のベース６７と、ベース６７の下面周縁の８箇所に固定される締結枠６８と、締結枠６８の配置個所に加えて、隣接する締結枠６８の間や、ベース６７の中間枠の下面などに固定される一群のボルト６９とで構成する。
【００３８】
図９に示すようにボルト６９は、ベース６７の下面の受座に固定したナット７０にねじ込んである。したがって、ボルト６９のねじ込み量を調整することにより、上フレーム６２を下フレーム６１を介して、ユニット躯体１に対して水平に設置することができる。また、上フレーム６２の締結枠６８を下フレーム６１に対して締結し、さらに位置決め枠６６を上フレーム６２の四隅部に締結することにより、両フレーム６１・６２を分離不能に固定できる。このように、多数個の締結枠６８とボルト６９とで上フレーム６２のベース６７を支持することにより、機器室２の構造強度を向上して、その上面をロフトとして利用することができる。また、換気扇７４を運転するときに、機器室２が振動するのを防止して静音化できる。なお、天井パネル４は、下フレーム６１に上面側から掛止装着してある。
【００３９】
上記のように、下フレーム６１と上フレーム６２を組み付けた後、周壁パネル６４を両フレーム６１・６２の周囲に装着し、さらに、ロフトパネル６３を周壁パネル６４の内面に沿いながら、上フレーム６２の上面に載置して機器室２を密閉状に区画する。周壁パネル６４は、外壁２７の壁パネル２９と同様にメッキ鋼板の表面に傷付きにくい塗装を施して形成してある。ロフトパネル６３は、外壁２７と同様に壁パネル７１と、壁パネル７１の片面に固定される緩衝材７２とで構成してある。なお、機器室２においても、シリコンコーキングを施し、あるいはパッキングでシールして、必要個所の隙間が密封される。
【００４０】
図１０に示すように、機器室２の内部には、２個の換気扇７４・７５と、換気扇７４・７５から室外へ向かって導出される換気ダクト７６・７７と、内室６および外室７を照明する複数の照明器具７８と、電気配線とが配置してある。一方の換気扇７４は、内室６の浴槽５１の真上に配置され、他方の換気扇７５は外室７のＩＨ調理器５６の真上に配置してある。また、内室６における照明器具７８は、浴槽５１および洗面台５４の真上と、便器５２と洗濯機パン５３の間の真上の合計３個所に配置してある。外室７における照明器具７８は、シンク５５とＩＨ調理器との間の真上に配置してある。
【００４１】
以上のように構成した組立式のサニタリーユニットによれば、専用の水回り室を区画する造作壁を設ける必要もなく、室内の任意スペースにサニタリーユニットを設置できるので、造作壁を省略する分だけ室内スペースを拡大でき、さらに、建物の構築コストを削減できる。また、壁体８を防水機能を備えた内壁２６と、化粧仕上げされた外壁２７とで内外二重に形成するので、設置対象の室内とにおける外観上の調和と、換気構造との調和を図ることができる。
【００４２】
さらに本発明のサニタリーユニットによれば、同ユニットを任意の室内スペースに違和感のない状態で設置でき、したがって、新規に居住スペースを構築する場合はもちろん、既存の住宅にサニタリーユニットを追加するなどの、リフォーム用途にも支障なく適用できる。また、断熱、防音、結露防止など水回り設備に不可欠な機能を完備した、汎用性に優れた組立式のサニタリーユニットが得られる。
【００４３】
ユニット躯体１の上部に機器室２を設けて、その内部に配置した換気機器でユニット躯体１の内部で発生する水蒸気の屋外への排出や、ユニット躯体１の内の空気の換気などを行なうようにするので、造作壁で専用の水回り室を区画する必要もなく、室内に設置するのに好適な組立式のサニタリーユニットが得られる。
【００４４】
サニタリーユニットを設置する室内の天井高さが十分に大きい場合には、機器室２の上面をロフトとして利用することができる。その場合には、ユニット躯体１の内室６の周囲壁にはしごを据付けて、機器室２の上面へ上り下りできるようにするとよく、必要があれば機器室２の周囲に転落防止用の防護柵を付加設置して、ロフトとして使用するときの安全性を向上することができる。
【００４５】
上記の実施例では、内室６に浴槽５１、便器５２、洗濯機パン５３と、洗面台５４を設置するようにしたが、その必要はなく、内室６には少なくとも浴槽５１を含む水回り設備が配置できるものであればよい。例えば、上記の実施例における外室７に隣接して、第２の外室を設けて、そこに洗面台５４を設置することができる。さらに、外室７に隣接して冷蔵庫の設置スペースを設けることができる。外室７はクローゼット等として多目的に使用することができる。
【００４６】
上記の実施例では、内壁２６と外壁２７のそれぞれを、壁パネル２８・２９と緩衝材３０・３１とで構成したがその必要はなく、１個の緩衝材の内外面に壁パネル２８・２９を固定して、内壁２６と外壁２７を一体に形成することができる。また、内壁２６と、緩衝材と、外壁２７を順に（あるいは逆順に）支持柱１５・１６に組み付けて、壁体８を構築することができる。壁パネル２８・２９は複合プラスチック材や、木質パネルで構成することができる。
【符号の説明】
【００４７】
１  ユニット躯体
２  機器室
３  躯体フレーム
４  天井パネル
５  床パネル
６  内い室
７  外室
８  壁体
１３  床フレーム
１４  天井フレーム
１５  支持柱
１６  支持柱
２６  内室
２７  外室
２８  内室の壁パネル
２９  外室の壁パネル
３０  内室の緩衝材
３１  外室の緩衝材
【図１】
2010242380.tif 000003
【図２】
2010242380.tif 000004
【図３】
2010242380.tif 000005
【図４】
2010242380.tif 000006
【図５】
2010242380.tif 000007
【図６】
2010242380.tif 000008
【図７】
2010242380.tif 000009
【図８】
2010242380.tif 000010
【図９】
2010242380.tif 000011
【図１０】
2010242380.tif 000012
【図１１】
2010242380.tif 000013
【図１２】
2010242380.tif 000014